(57)【要約】【課題】手や首に障害がある者でも容易に使用することができる飲用具の提供。【解決手段】この飲用具１０は、筒状容器１１と、筒状ホルダー１２とを備える。筒状容器１１は、筒状ホルダー１２に収容保持される。筒状容器１１の底面１３は傾斜されている。筒状容器１１の正面部位１４は、筒状容器１１の深さが最も浅い部位である。この正面部位１４が筒状ホルダー１２の切欠部３０に位置合わせされる。筒状ホルダー１２の側壁２５に指掛凹部３１が設けられている。この指掛凹部３１に使用者の指が係合される。【選択図】図２
2013118985.tif 000002
【特許請求の範囲】
【請求項１】
開口を有する上面及び当該上面に対して傾斜した底面を備え、下方に向かって漸次先鋭するくさび状収容室が形成された筒状容器と、
当該筒状容器が出し入れされる挿抜口を有する上面及び当該挿抜口に連続して上記筒状容器が収納される収納空間を備え、上記筒状容器が当該筒状容器の上面を露出させた状態で上記収納空間に収納保持される筒状ホルダーとを含む飲用具。
【請求項２】
上記筒状容器の上面に外向きに張出形成され、上記筒状容器が上記収納空間に収納された状態で上記挿抜口の周縁部に当接するフランジ部が形成されている請求項１に記載の飲用具。
【請求項３】
上記筒状ホルダは、
上記挿抜口の一部に連続して、上記筒状ホルダーの上面の一部及び当該上面の一部に連続する側面の一部が切りかかれた切欠部を有し、
上記筒状容器の上面のうち上記くさび状収容室の深さが最も浅い部位に対応する部位が上記切欠部に配置される請求項１又は２に記載の飲用具。
【請求項４】
上記筒状ホルダーの側面に指掛凹部が設けられている請求項１から３のいずれかに記載の飲用具。
【請求項５】
上記筒状容器及び上記筒状ホルダーのうち少なくとも一方は、紙で形成されている請求項１から４のいずれかに記載の飲用具。
【発明の詳細な説明】
【技術分野】
【０００１】
この発明は、飲用水その他のいわゆる汁物を収容し、これが飲用される際に使用される飲用具の構造に関するものである。本発明は、特に障害者や要介護者が使用することを前提とした飲用具の構造に関する。
【背景技術】
【０００２】
特に手や首に障害や不自由を持つ人にとって、飲用物をカップ等を用いて飲用することは容易でないことが多く、カップ等から飲用物が溢れてしまうことも少なくない。これを防止するため、従来から飲み口の形状が工夫されたカップが提案されている（たとえば、特許文献１参照）。特許文献１に記載されたカップでは、当該カップの開口部の一部を塞ぐように板部材が設けられている。この板部材の中央部は切り欠かれており、当該切り欠かれた部位によって注ぎ口が形成されている。カップの使用者は、このカップを手に持ち、注ぎ口に口を当てて当該カップを傾斜させることにより、飲用物を少量ずつ注ぎ口から簡単に口内に流し込める。
【先行技術文献】
【特許文献】
【０００３】
【特許文献１】特開２００９−２２６０１７号公報
【発明の概要】
【発明が解決しようとする課題】
【０００４】
しかし、手や首に障害や不自由を持つ人が上記カップを使用する場合、そもそもカップを自由に傾斜させることが困難であることが多く、上記注ぎ口が形成されていたとしてもカップを用いて容易に飲用物を飲用することができない場合もある。
【０００５】
そこで、本発明の目的は、手や首を大きく動かすことなく飲用水その他のいわゆる汁物を少しずつ容易且つ確実に飲用することができる飲用具を提供することである。
【課題を解決するための手段】
【０００６】
(1) 上記目的が達成されるため、本発明に係る飲用具は、筒状容器と、これを収納する筒状ホルダーとを有する。筒状容器は、開口を有する上面及び当該上面に対して傾斜した底面を備える。この筒状容器は、下方に向かって漸次先鋭するくさび状収容室が形成されている。筒状ホルダーは、上記筒状容器が出し入れされる挿抜口を有する上面及び当該挿抜口に連続して上記筒状容器が収納される収納空間を備える。この筒状ホルダーは、上記筒状容器が当該筒状容器の上面を露出させた状態で上記収納空間に収納保持する。
【０００７】
この構成によれば、飲料水その他のいわゆる汁物（以下、「飲用物」と称す。）は、上記筒状容器の開口から上記くさび状収容室に注がれる。上記筒状容器の底面が傾斜されることにより上記くさび状収容室が形成されている。使用者が当該筒状容器の上面のうち上記くさび状収容室の深さが最も浅い部位に口を付けることにより、当該筒状容器をわずかに傾けるだけで、上記飲用物を少しずつ口に運ぶことができる。しかも、この筒状容器は、上記筒状ホルダーにより保持されているから、使用者は、この筒状ホルダーを把持することによってきわめて容易に筒状容器内の飲用物を口に運ぶことができる。
【０００８】
(2) 上記筒状容器の上面にフランジ部が外向きに張出形成されていてもよい。このフランジ部は、上記筒状容器が上記収納空間に収納された状態で上記挿抜口の周縁部に当接するように形成されているのが好ましい。
【０００９】
このフランジ部が設けられることにより、上記筒状容器が上記筒状ホルダーに収容された状態で、安定して保持される。
【００１０】
(3) 上記筒状ホルダーは、上記挿抜口の一部に連続して、上記筒状ホルダーの上面の一部及び当該上面の一部に連続する側面の一部が切りかかれた切欠部を有するのが好ましい。そして、上記筒状容器の上面のうち上記くさび状収容室の深さが最も浅い部位に対応する部位が上記切欠部に配置されるのが好ましい。
【００１１】
この構成では、使用者は、筒状ホルダーを手で持った状態で、当該筒状ホルダーに収容された筒状容器の上面のうち上記くさび状収容室の深さが最も浅い部位に簡単に口を付けることができる。
【００１２】
(4) 上記筒状ホルダーの側面に指掛凹部が設けられているのが好ましい。
【００１３】
この構成では、使用者が上記筒状ホルダーを把持する際に親指を上記指掛凹部に進入させることができる。これにより、使用者は、筒状ホルダーをより安定して把持することができる。
【００１４】
(5) 上記筒状容器及び上記筒状ホルダーのうち少なくとも一方は、紙で形成されているのが好ましい。
【００１５】
この場合、飲用具はきわめて安価で大量生産が可能となる。特に筒状容器が紙で製造されることにより、これを使い捨て使用することが可能となり、衛生的でもある。
【発明の効果】
【００１６】
この発明によれば、筒状容器の底面が傾斜しているから、使用者は、筒状ホルダーを把持し、当該筒状ホルダーと共に筒状容器をわずかに傾けるだけで、飲用物を少しずつ口に運ぶことができる。したがって、使用者が手や首に障害を持つ場合であっても、手や首を大きく動かすことなく簡単且つ確実に飲用物を飲むことができる。また、使用者が介護者であるときは、介護が非常に簡単になる。加えて、本発明に係る飲用具は、離乳食を始めた幼児の知育食器としても利用され得る。
【図面の簡単な説明】
【００１７】
【図１】図１は、本発明の一実施形態に係る飲用具の外観斜視図である。
【図２】図２は、本発明の一実施形態に係る飲用具の分解斜視図である。
【図３】図３は、本発明の一実施形態に係る筒状容器の側面図である。
【図４】図４は、本発明の一実施形態に係る筒状容器の正面図である。
【図５】図５は、本発明の一実施形態に係る筒状容器の平面図である。
【図６】図６は、本発明の一実施形態に係る筒状ホルダーの側面図である。
【図７】図７は、本発明の一実施形態に係る筒状ホルダーの正面図である。
【図８】図８は、本発明の一実施形態に係る筒状ホルダーの平面図である。
【図９】図９は、本発明の一実施形態の変形例に係る筒状ホルダーの外観斜視図である。
【図１０】図１０は、本発明の一実施形態の変形例に係る筒状ホルダーの平面図である。
【図１１】図１１は、本発明の一実施形態の他の変形例に係る筒状ホルダーの外観斜視図である。
【発明を実施するための形態】
【００１８】
以下、適宜図面が参照されつつ、本発明の好ましい実施形態が説明される。なお、本実施の形態は、本発明に係る飲用具の一態様にすぎず、本発明の要旨を変更しない範囲で実施態様が変更されてもよいことは言うまでもない。
【００１９】
１．全体構成と特徴点
【００２０】
図１は本発明の一実施形態に係る飲用具１０の外観斜視図、図２は分解者視図である。
【００２１】
この飲用具１０は、特に手や首等に障害を持つ人や介護者又は被介護者（以下、適宜「使用者」と称する。）が使用することを前提とするものである。この飲用具１０は、飲用物のほか、ゼリー状の食品等を収容することができ、いわゆるカップないし食器として使用される。
【００２２】
本実施形態に係る飲用具１０の特徴とするところは、飲用具１０が筒状容器１１と、これを保持する筒状ホルダー１２とを備えている点、及び筒状容器１１の底面１３が同図が示すように傾斜している点である。筒状容器１１は、図１及び図２が示すように筒状ホルダー１２に収納される。使用者は、この筒状ホルダー１２を把持することによって、筒状容器１１を安定して操作することができる。そして、図２が示すように、筒状容器１１の底面１３が傾斜されているので、使用者は、筒状容器１１の正面部位１４（請求項３に記載された「くさび状収容室の深さが最も浅い部位」に相当）に口をつけ、わずかに筒状容器１１を傾けるだけで、仮に首や手が自由に動かせなくとも当該筒状容器１１に収容された飲用物等を少量ずつ簡単に溢さずに飲むことができるようになっている。つまり、この飲用具１０は、障害者等にとって非常に使いやすく、また、介護者にとっても使いやすいものである。
【００２３】
以下、飲用具１０の構造について詳述される。なお、図１及び図２において、矢印２１の方向が上下方向、当該方向に直交する矢印２２の方向が左右方向、矢印２１及び２２の双方に直交する矢印２３の方向が前後方向と定義される。そして、飲用具１０の前側が正面である。
【００２４】
２．筒状容器
【００２５】
図３ないし図５は、それぞれ、筒状容器１１の側面図、正面図及び平面図である。
【００２６】
筒状容器１１は、円筒状の側壁１７及び底板１８を有し、全体として円筒状を呈している。すなわち、筒状容器１１は、上面１５、側壁１７によって形成される側面１６及び底板１８によって形成される底面１３を備えている。この底板１８は、上面に対して角度θだけ傾斜している（図３参照）。この角度θは、本実施形態では４５°（ｄｅｇｒｅｅ）に設定されているが、３０°〜６０°の範囲で適宜設定され得る。
【００２７】
そして、側壁１７と底板１８とによって筒状容器１１の内部に収容室２０（請求項１に記載された「くさび状収容室」に相当）が区画されている。図３が示すように、底板１８が傾斜されていることから、収容室２０はくさび状に形成されており、収容室２０の深さＤは、前後方向２３の正面側に向かって漸次浅くなっている。つまり、収容室２０の深さＤは、上記正面部位１４において最も浅い。
【００２８】
また、側壁１７は所定のテーパが形成されている。すなわち、側壁１７は、下方に向かって角度φだけ傾斜しており、これにより、筒状容器１１は、下方に向かって漸次縮径されている。このように側壁１７にテーパが形成されていることから、多数の筒状容器１１が上下方向に容易に重ね合わせられる。その結果、大量の筒状容器１１の搬送が迅速且つ安価になる。もっとも、側壁１７にテーパが形成されていなくてもよい。
【００２９】
本実施形態では、筒状容器１１は紙で構成されている。側壁１７の上端（すなわち筒状容器１１の上面１５を構成する部分）では、当該側壁１７を構成する紙が、図３が示すように外向きに曲げ返されている。このため、筒状容器１１の上面１５にフランジ２４（請求項２に記載された「フランジ部」に相当）が形成されており、このフランジ２４は、上面１５から外向きに張り出している。フランジ２４が形成されていることによる作用効果及び筒状容器１１が紙で構成されることによる作用効果は後述される。なお、紙に代えて薄肉樹脂板により筒状容器１１が構成されてもよいことは勿論である。
【００３０】
３．筒状ホルダー
【００３１】
図６ないし図８は、それぞれ、筒状ホルダー１２の側面図、正面図及び平面図である。
【００３２】
筒状ホルダー１２は、円筒状の側壁２５及び底面２６を有し、全体として円筒状を呈している。この側壁２５が筒状ホルダー１２の側面を構成している。筒状ホルダー１２は、図１及び図２が示すように筒状容器１１が挿抜可能となっており、筒状容器１１が筒状ホルダー１２に上方から挿入されることにより、筒状容器１１は安定して保持されるようになっている。すなわち、筒状容器１１の上面２７は開口されている。この開口された部分により挿抜口２８が構成されており、この挿抜口２８を通じて筒状容器１１が筒状ホルダー１２に対して挿抜される。
【００３３】
また、底面２６は上面２７と平行に配置されている。この底面２６と側壁とにより、筒状ホルダー１２の内部に収納空間２９が区画されており、この収納空間２９は、上記挿抜口２８と連続している。図１が示すように、筒状容器１１が筒状ホルダー１２に収納されると、筒状容器１１は筒状ホルダー１２によって保持され、筒状容器１１の上面１５が上方に露出する。
【００３４】
筒状ホルダー１２の前面側に切欠部３０が形成されている。この切欠部３０は、筒状ホルダー１２の側壁２５の一部が切り取られることにより形成されている。つまり、筒状ホルダー１２の上面２７の一部が切り欠かれ、且つ当該上面２７の一部に連続する側面の一部が切りかかれている。図１が示すように、筒状容器１１が筒状ホルダー１２に収納された状態で、筒状容器１１の正面部位１４が筒状ホルダー１２の切欠部３０が設けられた位置に配置されるようになっている。すなわち、筒状容器１１が筒状ホルダー１２に収納された状態で、上記切欠部３０から上記正面部位１４が露出している。
【００３５】
この切欠部３０は、飲用具１０が使用される際に使用者が口を付ける部位である。したがって、切欠部３０は、適切なサイズに設計される。本実施形態では、図７が示すように、切欠部３０の長さＡは、５５ｍｍに設定され、深さＢは、１２ｍｍに設定されている。長さＡ及び深さＢは、上記寸法に限定されないことは勿論である。
【００３６】
さらに、筒状ホルダー１２の前面側に指掛凹部３１が設けられている。この指掛凹部３１は、側壁２５が内側に没入されることにより形成されている。指掛凹部３１は、使用者が筒状ホルダー１２を把持する際に、使用者の親指が引っ掛かる形状である。本実施形態では、指掛凹部３１は左右方向２２に延びる細長溝からなるが、かかる形状に限定されるものではない。要するに、使用者が筒状ホルダー１２を把持する際に指が係合する形状であればよい。
【００３７】
なお、本実施形態では、筒状ホルダー１２の底面２６に穴３３が設けられている（図８参照）。本実施形態では、穴３３の形状は扇形であり、均等に４つの穴３３が設けられている。この穴３３の形状は、扇型に限定されるものではない。また、穴３３は、省略されえてもよい。
【００３８】
本実施形態では、筒状ホルダー１２も紙で構成されている。側壁２５の上端（すなわち筒状ホルダー１２の上面２７を構成する部分）では、当該側壁２５を構成する紙が外向きに曲げ返されている。これにより、筒状ホルダー１２の上面２７の周縁部３２の剛性が向上され、且つ当該周縁部によって筒状容器１１が載置される座部が形成されている。筒状ホルダー１２が紙で構成されることによる作用効果は後述される。なお、紙に代えて薄肉樹脂板により筒状ホルダー１２が構成されてもよいことは勿論である。
【００３９】
４．飲用具１０の使用要領
【００４０】
この飲用具１０が使用される際には、図１及び図２が示すように、筒状容器１１が筒状ホルダー１２によって保持される。使用者は、筒状ホルダー１２を把持して筒状容器１１を操作することができるので、筒状容器１１がくさび状を呈していても、使用者は簡単に筒状容器１１を扱うことができる。
【００４１】
筒状容器１１は、筒状ホルダー１２に対して位置合わせされた状態で保持される。すなわち、筒状容器１１の正面部位１４が筒状ホルダー１２の切欠部３０と位置合わせされる。そして、典型的には、筒状容器１１の上面１５が上向きとなるようにテーブル上に載置される。飲用物等は、筒状容器１１の開口１９から収容室２０に注がれる。
【００４２】
使用者は、筒状ホルダー１２を手で把持する。筒状容器１１の底面１３が傾斜されているから、収容室２０がくさび状に形成されている。使用者が筒状ホルダー１２の切欠部３０を通して筒状容器１１の正面部位１４に口を付けた状態で、筒状容器１１をわずかに手前側（前側）に傾けるだけで、飲用物等を少しずつ簡単に口に運ぶことができる。
【００４３】
その結果、仮に使用者が手や首に障害を持っている場合であっても、手や首を大きく動かすことなく簡単且つ確実に飲料を飲むことができる。また、使用者が介護者であるときは、介護が非常に簡単になるという利点がある。
【００４４】
本実施形態では、筒状容器１１にフランジ２４が設けられているので、筒状容器１１が筒状ホルダー１２に挿入された状態で、フランジ２４が筒状ホルダー１２の上面２７の周縁部３２（座部）に上から当接する。したがって、筒状容器１１が筒状ホルダー１２に安定して保持される。
【００４５】
また、筒状ホルダー１２が上記切欠部３０を備えているので、使用者は、筒状ホルダー１２を手で持った状態で、筒状容器１１の正面部位１４に簡単に口を付けることができるという利点がある。なお、この切欠部３０は省略されてもよい。
【００４６】
さらに、筒状ホルダー１２に指掛凹部３１が設けられているから、使用者が指を指掛凹部３１に掛けることにより、筒状ホルダー１２をより安定して把持することができる。
【００４７】
加えて、筒状容器１１及び筒状ホルダー１２が紙で形成されているから、これらがきわめて安価で大量生産され得る。特に筒状容器１１が紙で製造されることにより、これを使い捨て使用することが可能となり、衛生的な使用が可能である。
【００４８】
なお、本実施形態では、筒状容器１１及び筒状ホルダー１２が円筒状に形成されているが、これらの形状は円筒状に限定されるものではない。たとえば、角柱状に形成されてもよく、要するに筒状に形成されていればよい。
【００４９】
５．変形例
【００５０】
次に、本実施形態の変形例について説明される。
【００５１】
図９及び図１０は、上記実施形態の第１の変形例に係る筒状ホルダー１２の外観斜視図である。
【００５２】
この変形例に係る筒状ホルダー３５が上記実施形態に係る筒状ホルダー１２と異なるところは、筒状ホルダー１２に設けられていた切欠部３０及び指掛凹部３１が省略されている点である。なお、その他の構成については上記実施形態と同様である。
【００５３】
つまり、筒状ホルダー３５は、単純な円筒状に形成されている。したがって、筒状ホルダー３５の製造コストが一層安価に抑えられるという利点がある。
【００５４】
図１１は、上記実施形態の第２の変形例に係る筒状ホルダー３６の外観斜視図である。
【００５５】
この変形例に係る筒状ホルダー３５が上記実施形態に係る筒状ホルダー１２と異なるところは、筒状ホルダー１２に設けられていた切欠部３０及び指掛凹部３１が省略されている点、側壁２５が斜めに大きくカットされている点、及び把手３７が設けられている点である。なお、その他の構成については上記実施形態と同様である。
【００５６】
この筒状ホルダー１２は、側壁２５がカットされることによて上面２７が傾斜している。これにより、挿抜口２８が大きくなり、筒状容器１１の出し入れが容易になっている。また、把手３７が設けられているので、使用者は筒状ホルダー１２を容易に持つことができる。この把手３７は、本実施形態では円環状に形成されている。ただし、把手３７の形状は限定されるものではなく、使用者が確実に指を掛けることができるならば、他の形状が採用されてもよい。
【符号の説明】
【００５７】
１０・・・飲用具
１１・・・筒状容器
１２・・・筒状ホルダー
１３・・・底面
１４・・・正面部位
１５・・・上面
１６・・・側面
１７・・・側壁
１９・・・開口
２０・・・収容室
２４・・・フランジ
２５・・・側壁
２６・・・底面
２７・・・上面
２８・・・挿抜口
２９・・・収納空間
３０・・・切欠部
３１・・・指掛凹部
３２・・・周縁部
３５・・・筒状ホルダー
３６・・・筒状ホルダー
【図１】
2013118985.tif 000003
【図２】
2013118985.tif 000004
【図３】
2013118985.tif 000005
【図４】
2013118985.tif 000006
【図５】
2013118985.tif 000007
【図６】
2013118985.tif 000008
【図７】
2013118985.tif 000009
【図８】
2013118985.tif 000010
【図９】
2013118985.tif 000011
【図１０】
2013118985.tif 000012
【図１１】
2013118985.tif 000013